(57)【特許請求の範囲】
【請求項１】
携帯端末で画面回転を固定するための方法において、
タッチスクリーンに対するタッチを感知するステップと、
前記タッチスクリーンに対するタッチが維持された状態で前記携帯端末の回転が感知された場合、自動画面回転サービスを非活性化して画面回転を固定するステップと、
前記画面回転を固定した後、解除イベントが発生した場合、前記画面回転の固定を解除するステップと、含み、
前記画面回転の固定を解除するステップは、
前記画面回転を固定した後、前記タッチスクリーンに対するタッチを感知するステップと、
前記タッチが維持された状態で前記携帯端末の回転が感知された場合、前記自動画面回転サービスを活性化して前記画面回転の固定を解除するステップと、を含むことを特徴とする方法。
【請求項２】
前記画面回転を固定するステップは、
前記タッチが維持された状態で前記携帯端末の回転が感知された場合、前記タッチが維持された時間を確認するステップと、
前記タッチが基準時間の間維持された場合、画面回転を固定するステップと、を含むことを特徴とする請求項１に記載の方法。
【請求項３】
前記画面回転を固定するステップは、
前記タッチが維持された状態で前記携帯端末の回転が感知された場合、前記携帯端末の回転方向を確認するステップと、
前記携帯端末の回転方向が基準方向である場合、前記画面回転を固定するステップと、を含むことを特徴とする請求項１に記載の方法。
【請求項４】
前記タッチを感知した後、前記タッチが維持された時間を確認するステップと、
前記タッチが基準時間の間維持された場合、基準方向を表示するステップと、をさらに含むことを特徴とする請求項１に記載の方法。
【請求項５】
前記画面回転の固定を解除するステップは、
前記タッチが維持された状態で前記携帯端末の回転が感知された場合、前記タッチが維持された時間を確認するステップと、
前記タッチが基準時間の間維持された場合、前記画面回転の固定を解除するステップと、を含むことを特徴とする請求項１に記載の方法。
【請求項６】
前記画面回転の固定を解除するステップは、
前記タッチが維持された状態で前記携帯端末の回転が感知された場合、前記携帯端末の回転方向を確認するステップと、
前記携帯端末の回転方向が第２基準方向である場合、前記画面回転の固定を解除するステップと、を含むことを特徴とする請求項１に記載の方法。
【請求項７】
前記タッチを感知した後、前記タッチが維持された時間を確認するステップと、
前記タッチが基準時間の間維持された場合、第２基準方向を表示するステップと、をさらに含むことを特徴とする請求項１に記載の方法。
【請求項８】
前記タッチを感知するステップの前に第１応用プログラムを実行するステップをさらに含むことを特徴とする請求項１に記載の方法。
【請求項９】
前記画面回転を固定した後、前記第１応用プログラムの実行が終了した場合、前記画面回転の固定を解除するステップをさらに含むことを特徴とする請求項８に記載の方法。
【請求項１０】
携帯端末において、
タッチスクリーンと、
前記携帯端末の動き情報を感知するセンシングモジュールと、
前記タッチスクリーンに対するタッチが維持された状態で前記センシングモジュールを介して前記携帯端末の回転が感知された場合、自動画面回転サービスを非活性化して画面回転を固定し、前記画面回転を固定した後、解除イベントが発生した場合、前記画面回転の固定を解除する制御部と、を備え、
前記制御部は、
前記画面回転を固定した後、解除イベントとして前記タッチスクリーンに対するタッチが維持された状態で前記センシングモジュールを介して前記携帯端末の回転が感知された場合、前記自動画面回転サービスを活性化して前記画面回転の固定を解除することを特徴とする装置。
【請求項１１】
前記制御部は、前記タッチが維持された状態で前記携帯端末の回転が感知された場合、前記タッチが維持された時間を確認し、前記タッチが基準時間の間維持された場合、前記画面回転を固定することを特徴とする請求項１０に記載の装置。
【請求項１２】
前記制御部は、前記タッチが維持された状態で前記携帯端末の回転が感知された場合、前記携帯端末の回転方向を確認し、前記携帯端末の回転方向が基準方向である場合、前記画面回転を固定することを特徴とする請求項１０に記載の装置。
【請求項１３】
前記制御部は、前記タッチスクリーンに対するタッチを感知した後、前記タッチが維持された時間を確認し、前記タッチが基準時間の間維持された場合、基準方向を前記タッチスクリーンに表示することを特徴とする請求項１０に記載の装置。
【請求項１４】
前記制御部は、前記タッチが維持された状態で前記携帯端末の回転が感知された場合、前記タッチが維持された時間を確認し、前記タッチが基準時間の間維持された場合、前記画面回転の固定を解除することを特徴とする請求項１０に記載の装置。
【請求項１５】
前記制御部は、前記タッチが維持された状態で前記携帯端末の回転が感知された場合、前記携帯端末の回転方向を確認し、前記携帯端末の回転方向が第２基準方向である場合、前記画面回転の固定を解除することを特徴とする請求項１０に記載の装置。
【請求項１６】
前記制御部は、前記タッチスクリーンに対するタッチを感知した後、前記タッチが維持された時間を確認し、前記タッチが基準時間の間維持された場合、第２基準方向を前記タッチスクリーンに表示することを特徴とする請求項１０に記載の装置。
【請求項１７】
前記制御部は、前記タッチスクリーンに対するタッチを感知する前に第１応用プログラムを実行することを特徴とする請求項１０に記載の装置。
【請求項１８】
前記制御部は、前記画面回転を固定した後、前記第１応用プログラムの実行が終了した場合、前記画面回転の固定を解除することを特徴とする請求項１７に記載の装置。
【請求項１９】
携帯端末で画面を回転するための方法において、
タッチスクリーンに対するタッチを感知するステップと、
前記タッチスクリーンに対するタッチが維持された状態で前記携帯端末の回転が感知された場合、自動画面回転サービスを活性化して、前記自動画面回転サービスが非活性化されて固定された画面を前記携帯端末の傾きに基づいて回転するステップと、を含むことを特徴とする方法。
【請求項２０】
携帯端末において、
タッチスクリーンと、
前記携帯端末の動き情報を感知するセンシングモジュールと、
前記タッチスクリーンに対するタッチが維持された状態で前記センシングモジュールを介して前記携帯端末の回転が感知された場合、自動画面回転サービスを活性化して、前記自動画面回転サービスが非活性化されて固定された画面を前記携帯端末の傾きに基づいて回転する制御部と、を備えることを特徴とする装置。
【発明の詳細な説明】
【技術分野】
【０００１】
本発明は、タッチスクリーンを備える携帯端末に係り、特に、タッチスクリーンを備える携帯端末で自動画面回転を防止するための装置及び方法に関する。
【背景技術】
【０００２】
携帯の容易性から現代人の必需品になった携帯端末は、音声及び映像通話機能、情報入出力機能及びデータ保存のような様々なサービスを提供するマルチメディア機器へと発展している。
【０００３】
携帯端末を用いたマルチメディアサービスの使用が増加するに伴い、携帯用電子装置で処理すべき情報量及び表示すべき情報量が増加している。これにより、空間活用度を改善して表示部の大きさを増大できるタッチスクリーンを備えた携帯端末への関心が増している。
【０００４】
タッチスクリーンは情報の入力と表示を１つのスクリーンで行う入出力装置である。これにより、携帯端末でタッチスクリーンを使用する場合、携帯端末はキーパッドのような別途の入力装置を除去して表示面積を増大できる。例えば、画面全体にタッチスクリーンが適用されたフルタッチ方式を用いる場合、携帯用電子装置は全面を画面に活用して画面の大きさを拡大できる。
【０００５】
上述のようにタッチスクリーンを使用する場合、電子装置はキーパッドのような別途の入力装置を備えないので別途の入力装置を備える電子装置とは操作方式が異なる。これにより、タッチスクリーンを備える携帯端末はタッチスクリーンによる別途のユーザインタフェースを必要とする。
【先行技術文献】
【特許文献】
【０００６】
【特許文献１】韓国登録特許１０−０８６３６７６
【発明の概要】
【発明が解決しようとする課題】
【０００７】
従って、本発明の目的は、携帯端末で自動画面回転を防止するための装置及び方法を提供することにある。
【０００８】
本発明の他の目的は、タッチスクリーンを備える携帯端末で自動画面回転を防止するための装置及び方法を提供することにある。
本発明のさらに他の目的は、タッチスクリーンを備える携帯端末で特定の応用プログラムのみで自動画面回転を防止するための装置及び方法を提供することにある。
本発明のさらに他の目的は、タッチスクリーンを備える携帯端末で自動画面回転防止設定を簡素化するための装置及び方法を提供することにある。
【課題を解決するための手段】
【０００９】
本発明の目的を達成するための本発明の第１見地によれば、携帯端末で画面回転を固定するための方法は、タッチスクリーンに対するタッチを感知するステップと、前記タッチスクリーンに対するタッチが維持された状態で前記携帯端末の回転が感知された場合、自動画面回転サービスを非活性化して画面回転を固定するステップと、前記画面回転を固定した後、解除イベントが発生した場合、前記画面回転の固定を解除するステップと、を含み、前記画面回転の固定を解除するステップは、前記画面回転を固定した後、前記タッチスクリーンに対するタッチを感知するステップと、前記タッチが維持された状態で前記携帯端末の回転が感知された場合、前記自動画面回転サービスを活性化して前記画面回転の固定を解除するステップと、を含む。
【００１０】
好ましくは、この時、前記画面回転を固定するステップは、前記タッチが維持された状態で前記携帯端末の回転が感知された場合、前記タッチが維持された時間を確認するステップと、前記タッチが基準時間の間維持された場合、画面回転を固定するステップと、を含む。
好ましくは、この時、前記画面回転を固定するステップは、前記タッチが維持された状態で前記携帯端末の回転が感知された場合、前記携帯端末の回転方向を確認するステップと、前記携帯端末の回転方向が基準方向である場合、前記画面回転を固定するステップと、を含む。
【００１１】
本発明の第２見地によれば、携帯端末は、タッチスクリーンと、前記携帯端末の動き情報を感知するセンシングモジュールと、前記タッチスクリーンに対するタッチが維持された状態で前記センシングモジュールを介して前記携帯端末の回転が感知された場合、自動画面回転サービスを非活性化して画面回転を固定し、前記画面回転を固定した後、解除イベントが発生した場合、前記画面回転の固定を解除する制御部と、を備え、前記制御部は、前記画面回転を固定した後、解除イベントとして前記タッチスクリーンに対するタッチが維持された状態で前記センシングモジュールを介して前記携帯端末の回転が感知された場合、前記自動画面回転サービスを活性化して前記画面回転の固定を解除する。
【００１２】
好ましくは、この時、前記制御部は、前記タッチが維持された状態で前記携帯端末の回転が感知された場合、前記タッチが維持された時間を確認し、前記タッチが基準時間の間維持された場合、画面回転を固定する特徴を含む。
好ましくは、この時、前記制御部は、前記タッチが維持された状態で前記携帯端末の回転が感知された場合、前記携帯端末の回転方向を確認し、前記携帯端末の回転方向が基準方向である場合、前記画面回転を固定する特徴を含む。
【発明の効果】
【００１３】
本発明による携帯端末で画面回転を固定するための方法は、タッチを感知する過程と、前記タッチが維持された状態で前記携帯端末の回転が感知された場合、画面回転を固定する過程と、を含むので、タッチスクリーンにタッチするだけで携帯端末の自動画面回転を防止できる。
【図面の簡単な説明】
【００１４】
【図１】本発明による携帯端末のブロック構成を示す図である。
【図２】本発明の第１実施形態による携帯端末で画面回転を固定するための手順を示す図である。
【図３】本発明の第２実施形態による携帯端末で画面回転を固定するための手順を示す図である。
【図４】本発明の第３実施形態による携帯端末で画面回転を固定するための手順を示す図である。
【図５】本発明の第４実施形態による携帯端末で画面回転を固定するための手順を示す図である。
【図６】本発明の第１実施形態による携帯端末で固定された自動画面回転を解除するための手順を示す図である。
【図７】本発明の第２実施形態による携帯端末で固定された自動画面回転を解除するための手順を示す図である。
【図８】本発明の第３実施形態による携帯端末で固定された自動画面回転を解除するための手順を示す図である。
【図９】本発明の第４実施形態による携帯端末で固定された自動画面回転を解除するための手順を示す図である。
【図１０】本発明の第５実施形態による携帯端末で固定された自動画面回転を解除するための手順を示す図である。
【図１１】本発明の第６実施形態による携帯端末で特定の応用プログラムにおける画面回転を固定するための手順を示す図である。
【図１２】本発明の第７実施形態による携帯端末で特定の応用プログラムにおける画面回転を固定するための手順を示す図である。
【図１３】（ａ）〜（ｅ）は、本発明の各実施形態による携帯端末で画面回転を固定するための手順中の画面構成例を示す図である。
【発明を実施するための形態】
【００１５】
以下、本発明の好ましい実施形態を添付の図面を参照して詳細に説明する。そして、本発明を説明するに当たって、関連する公知機能または構成に対する具体的な説明が本発明の要旨を却って不明確にする恐れがあると判断される場合、その詳細な説明を省略する。そして、後述される用語は、本発明における機能を考慮して定義された用語であってこれはユーザ、運用者の意図または慣例などに応じて異なることがある。従って、その定義は本明細書全般にわたる内容に基づいて行われるべきである。
【００１６】
以下、本発明は携帯端末で自動画面回転を防止する（自動画面回転を固定、又は自動画面回転を解除、又は自動画面回転を固定後解除イベントが発生した場合に解除）ための技術に関して説明する。また本発明は携帯端末で固定された画面、又は画面回転が解除された画面を、携帯端末の傾きを考慮して回転するための技術に関して説明する。ここで、自動画面回転は携帯端末の傾きを考慮して表示部に表示された情報を回転するサービスをいう。
以下の説明で携帯端末は、タッチスクリーンを備える移動通信端末、ＰＤＡ、ラップトップ、スマートフォン、ネットブック、モバイルインターネットデバイス（ＭＩＤ）、ウルトラモバイルＰＣ（ＵＭＰＣ）、タブレットＰＣ、ナビゲーション、及びＭＰ３などの電子装置を含む。
【００１７】
図１は、本発明による携帯端末のブロック構成を示している。
本図に示したように、携帯端末は制御部１００、表示部１１０、入力部１２０、保存部１３０、オーディオ処理部１４０、通信部１５０、及びセンシングモジュール１６０を含んで構成される。
【００１８】
制御部１００は携帯端末の全体的な動作を制御する。例えば、制御部１００は音声通話及びデータ通信を行うように制御する。
また、制御部１００は画面固定イベントに応じて自動画面回転サービスを制御する。例えば、表示部１１０に対するタッチが維持された状態で携帯端末の回転が感知された場合、制御部１００は画面固定イベント又は自動画面回転解除イベントが発生したと認識する。これにより、制御部１００は自動画面回転サービスを非活性化する。即ち、制御部１００は携帯端末の傾きの変化が感知されても表示部１１０に表示された情報が回転されないように自動画面回転を固定する（又は自動画面回転サービスを解除する）。
【００１９】
他の例としては、表示部１１０に対するタッチが基準時間の間維持された状態で携帯端末の回転が感知された場合、制御部１００は画面固定イベントが発生したと認識する。これにより、制御部１００は自動画面回転サービスを非活性化する。この時、制御部１００は表示部１１０のタッチが基準時間の間維持された場合、本発明の各実施形態による携帯端末で画面回転を固定するための手順中の画面構成例を示す図１３の（ｄ）に示すように画面固定イベントのための端末の回転方向を表示するように制御できる。
【００２０】
さらに他の例としては、表示部１１０に対するタッチが維持された状態で第１基準方向へ携帯端末の回転が感知された場合、制御部１００は画面固定イベントが発生したと認識する。これにより、制御部１００は自動画面回転サービスを非活性化する。ここで、第１基準方向は画面固定イベント発生のために予め設定された携帯端末の回転方向を示す。
【００２１】
さらに他の例としては、表示部１１０に対するタッチが基準時間の間維持された状態で第１基準方向へ携帯端末の回転が感知された場合、制御部１００は画面固定イベントが発生したと認識する。これにより、制御部１００は自動画面回転サービスを非活性化する（自動画面回転を固定又は自動画面回転サービスを解除する）。この時、制御部１００は表示部１１０のタッチが基準時間の間維持された場合、図１３の（ｄ）に示すように画面固定イベントのための端末の回転方向を表示するように制御できる。
【００２２】
制御部１００は、自動画面回転を固定する場合、自動画面回転が固定された状態で画面固定解除イベントがさらに発生した場合、固定された自動画面回転を解除する。即ち、制御部１００は自動画面回転サービスを活性化する。
例えば、自動画面回転サービスが非活性化された状態で表示部１１０に対するタッチが維持された状態で携帯端末の回転が感知された場合、制御部１００は画面固定解除イベントが発生したと認識する。これにより、制御部１００は自動画面回転サービスを活性化する。即ち、制御部１００は携帯端末の傾きの変化に応じて表示部１１０に表示された情報を回転する。
【００２３】
他の例として、自動画面回転サービスが非活性化された状態で表示部１１０に対するタッチが基準時間の間維持された状態で携帯端末の回転が感知された場合、制御部１００は画面固定解除イベントが発生したと認識する。これにより、制御部１００は自動画面回転サービスを活性化する。この時、制御部１００は表示部１１０のタッチが基準時間の間維持された場合、図１３の（ｄ）に示すように画面固定解除イベントのための端末の回転方向を表示するように制御できる。
【００２４】
さらに他の例としては、自動画面回転サービスが非活性化された状態で表示部１１０に対するタッチが維持された状態で第２基準方向へ携帯端末の回転が感知された場合、制御部１００は画面固定解除イベントが発生したと認識する。これにより、制御部１００は自動画面回転サービスを活性化する。ここで、第２基準方向は画面固定解除イベント発生のために予め設定された携帯端末の回転方向を示す。この時、第２基準方向は第１基準方向と同一又は異なる、の何れかである。
【００２５】
さらに他の例としては、自動画面回転サービスが非活性化された状態で表示部１１０に対するタッチが基準時間の間維持された状態で基準方向へ携帯端末の回転が感知された場合、制御部１００は画面固定解除イベントが発生したと認識する。これにより、制御部１００は自動画面回転サービスを活性化する。この時、制御部１００は表示部１１０のタッチが基準時間の間維持された場合、図１３の（ｄ）に示すように画面固定解除イベントのための端末の回転方向を表示するように制御できる。
【００２６】
さらに他の例としては、画面回転固定アイコンが選択された場合、制御部１００は画面固定解除イベントが発生したと認識する。これにより、制御部１００は自動画面回転サービスを活性化する。
【００２７】
さらに他の例としては、制御部１００は画面回転を支援する応用プログラムのみで自動画面回転サービスを非活性化できる。この場合、制御部１００は該当応用プログラムの実行が終了した場合、自動画面回転サービスを活性化する。ここで、画面回転を支援する応用プログラムはウェブブラウザ、アルバム、動画プレーヤなどを含む。
【００２８】
表示部１１０は情報の表示及び入力手段の機能を同時に行うタッチスクリーンで構成される。例えば、表示部１１０は制御部１００の制御に応じて携帯端末の状態情報、ユーザが入力するメッセージ、動画像及び静止画などを表示する。また、表示部１１０はタッチペン又はユーザの指によるタッチ情報を制御部１００に提供する。
入力部１２０はユーザの選択によって発生する入力データを制御部１００に提供する。例えば、入力部１２０は携帯端末の制御のための制御ボタンのみを含んで構成される。他の例として、入力部１２０はユーザから入力データを提供されるためのキーパッドで構成される。
【００２９】
保存部１３０は、携帯端末の動作を制御するためのプログラムを保存するプログラム保存部及びプログラム遂行中に生じるデータを保存するデータ保存部から構成される。例えば、保存部１３０のプログラム保存部は制御部１００で自動画面回転サービスを制御するためのプログラムを保存する。この場合、制御部１００はプログラム保存部に保存されたプログラムを実行して自動画面回転サービスを制御する。
【００３０】
オーディオ処理部１４０はオーディオ信号の入出力を制御する。例えば、オーディオ処理部１４０は制御部１００から提供されたオーディオ信号を外部にスピーカを介して送出し、マイクから提供されたオーディオ信号を制御部１００に提供する。
通信部１５０は音声及びデータ通信のためにアンテナを介して送受信される信号を処理する。
【００３１】
センシングモジュール１６０は携帯端末の運動状態を感知する。例えば、センシングモジュール１６０は加速度センサ、地磁気センサ、ジャイロスコープ、高度センサのうち少なくとも１つを含んで構成され、端末の回転を感知する。
【００３２】
図２は、本発明の第１実施形態による携帯端末で画面回転を固定するための手順を示している。
図２を参照すると、携帯端末はステップ２０１で表示部１１０に対するタッチが感知されたかを確認する。例えば、携帯端末は、本発明の各実施形態による携帯端末で画面回転を固定するための手順中の画面構成例を示す図１３の（ａ）に示すようにユーザによる表示部１１０のタッチが感知されたかを確認する。
【００３３】
表示部１１０に対するタッチが感知されない場合、携帯端末は画面固定イベントが発生しなかったと認識する。これにより、携帯端末は本アルゴリズムを終了する。
【００３４】
一方、表示部１１０に対するタッチが感知された場合、携帯端末はステップ２０３に進んで表示部１１０に対するタッチが維持された状態で端末が回転されたかを確認する。例えば、携帯端末は、本発明の各実施形態による携帯端末で画面回転を固定するための手順中の画面構成例を示す図１３の（ｂ）に示すようにユーザによる表示部１１０のタッチが維持された状態で端末が回転されたかを確認する。
【００３５】
端末が回転されないか、端末が回転する前に表示部１１０に対するタッチが解除された場合、携帯端末は画面固定イベントが発生しなかったと認識する。これにより、携帯端末は本アルゴリズムを終了する。
【００３６】
一方、表示部１１０に対するタッチが維持された状態で端末が回転された場合、携帯端末は画面固定イベントが発生したと認識する。これにより、携帯端末はステップ２０５に進んで自動画面回転を固定又は自動画面回転サービスを解除する。即ち、携帯端末は自動画面回転サービスを非活性化する（自動画面回転を固定又は自動画面回転サービスを解除）。
その後、携帯端末は本アルゴリズムを終了する。
【００３７】
図３は、本発明の第２実施形態による携帯端末で画面回転を固定するための手順を示している。
図３を参照すると、携帯端末はステップ３０１で表示部１１０に対するタッチが感知されたかを確認する。例えば、携帯端末は図１３の（ａ）に示すようにユーザによる表示部１１０のタッチが感知されたかを確認する。
【００３８】
表示部１１０に対するタッチが感知されない場合、携帯端末は画面固定イベントが発生しなかったと認識する。これにより、携帯端末は本アルゴリズムを終了する。
【００３９】
一方、表示部１１０に対するタッチが感知された場合、携帯端末はステップ３０３に進んで表示部１１０に対するタッチが維持された状態で端末が回転されたかを確認する。例えば、携帯端末は図１３の（ｂ）に示すようにユーザによる表示部１１０のタッチが維持された状態で端末が回転されたかを確認する。
【００４０】
端末が回転されないか、端末が回転する前に表示部１１０に対するタッチが解除された場合、携帯端末は画面固定イベントが発生しなかったと認識する。これにより、携帯端末は本アルゴリズムを終了する。
【００４１】
一方、表示部１１０のタッチが維持された状態で端末が回転された場合、携帯端末はステップ３０５に進んで表示部１００に対するタッチ維持時間を確認する。
その後、携帯端末はステップ３０７に進んでタッチ維持時間と基準時間とを比較する。
【００４２】
タッチ維持時間が基準時間より小さい場合、携帯端末は画面固定イベントが発生しなかったと認識する。これにより、携帯端末は本アルゴリズムを終了する。
【００４３】
一方、タッチ維持時間が基準時間より大きいか等しい場合、携帯端末は画面固定イベントが発生したと認識する。これにより、携帯端末はステップ３０９に進んで自動画面回転を固定又は自動画面回転サービスを解除する。即ち、携帯端末は自動画面回転サービスを非活性化する（自動画面回転を固定又は自動画面回転サービスを解除）。
その後、携帯端末は本アルゴリズムを終了する。
【００４４】
図４は、本発明の第３実施形態による携帯端末で画面回転を固定するための手順を示している。
図４を参照すると、携帯端末はステップ４０１で表示部１１０に対するタッチが感知されたかを確認する。例えば、携帯端末は図１３の（ａ）に示すようにユーザによる表示部１１０のタッチが感知されたかを確認する。
【００４５】
表示部１１０に対するタッチが感知されなかった場合、携帯端末は画面固定イベントが発生しなかったと認識する。これにより、携帯端末は本アルゴリズムを終了する。
【００４６】
一方、表示部１１０に対するタッチが感知された場合、携帯端末はステップ４０３に進んで表示部１１０に対するタッチが基準時間の間維持されたかを確認する。これにより、携帯端末は表示部１１０に対するタッチ維持時間と基準時間とを比較する。
【００４７】
表示部１１０に対するタッチ維持時間が基準時間より小さい場合、携帯端末は表示部１１０に対するタッチが基準時間の間維持されなかったと認識する。これにより、携帯端末は本アルゴリズムを終了する。
【００４８】
表示部１００に対するタッチ維持時間が基準時間より大きいか等しい場合、携帯端末は表示部１１０に対するタッチが基準時間の間維持されたと認識する。これにより、携帯端末はステップ４０５に進んで画面回転イベント情報を表示する。例えば、基準時間の間表示部１１０に対するタッチが維持された場合、携帯端末は図１３の（ｄ）に示すように画面固定イベントのための端末の回転方向を表示部１１０に表示する。
【００４９】
その後、携帯端末はステップ４０７に進んで端末が回転したかを確認する。例えば、携帯端末は、本発明の各実施形態による携帯端末で画面回転を固定するための手順中の画面構成例を示す図１３の（ｅ）に示すように端末が回転されたかを確認する。この時、携帯端末はユーザのタッチが維持されているか否かにかかわらず端末が回転したかを確認する。
【００５０】
端末が回転されない場合、携帯端末は画面固定イベントが発生しなかったと認識する。これにより、携帯端末は本アルゴリズムを終了する。
【００５１】
一方、端末が回転された場合、携帯端末は画面固定イベントが発生したと認識する。これにより、携帯端末はステップ４０９に進んで自動画面回転を固定又は自動画面回転サービスを解除する。即ち、携帯端末は自動画面回転サービスを非活性化する（自動画面回転を固定又は自動画面回転サービスを解除）。
その後、携帯端末は本アルゴリズムを終了する。
【００５２】
図５は、本発明の第４実施形態による携帯端末で画面回転を固定するための手順を示している。
図５を参照すると、携帯端末はステップ５０１で表示部１１０に対するタッチが感知されたかを確認する。例えば、携帯端末は図１３の（ａ）に示すようにユーザによる表示部１１０のタッチが感知されたかを確認する。
【００５３】
表示部１１０に対するタッチが感知されない場合、携帯端末は画面固定イベントが発生しなかったと認識する。これにより、携帯端末は本アルゴリズムを終了する。
【００５４】
一方、表示部１１０に対するタッチが感知された場合、携帯端末はステップ５０３に進んで表示部１１０に対するタッチが基準時間の間維持されたかを確認する。これにより、携帯端末は表示部１１０に対するタッチ維持時間と基準時間とを比較する。
【００５５】
表示部１１０に対するタッチ維持時間が基準時間より小さい場合、携帯端末は表示部１１０に対するタッチが基準時間の間維持されなかったと認識する。これにより、携帯端末は本アルゴリズムを終了する。
【００５６】
一方、表示部１１０に対するタッチ維持時間が基準時間より大きいか等しい場合、携帯端末は表示部１１０に対するタッチが基準時間の間維持されたと認識する。これにより、携帯端末はステップ５０５に進んで画面回転イベント情報を表示する。例えば、基準時間の間表示部１１０に対するタッチが維持された場合、携帯端末は図１３の（ｄ）に示すように画面固定イベントのための端末の回転方向を表示部１１０に表示する。
【００５７】
その後、携帯端末はステップ５０７に進んで端末が回転されたかを確認する。例えば、携帯端末は図１３の（ｅ）に示すように端末が回転されたかを確認する。この時、携帯端末はユーザのタッチが維持されているか否かにかかわらず端末が回転したかを確認する。
【００５８】
端末が回転されない場合、携帯端末は画面固定イベントが発生しなかったと認識する。これにより、携帯端末は本アルゴリズムを終了する。
【００５９】
一方、端末が回転された場合、携帯端末はステップ５０９に進んで端末の回転方向を確認する。例えば、携帯端末はセンシングモジュール１６０を用いて端末の回転方向を確認する。
【００６０】
端末の回転方向を確認した後、携帯端末はステップ５１１に進んで端末の回転方向が予め設定された第１基準方向と一致するかを確認する。ここで、第１基準方向は画面固定イベント発生のために予め設定された携帯端末の回転方向を示す。
【００６１】
端末の回転方向が第１基準方向と一致しない場合、携帯端末は画面固定イベントが発生しなかったと認識する。これにより、携帯端末は本アルゴリズムを終了する。
【００６２】
端末の回転方向が第１基準方向と一致する場合、携帯端末は画面固定イベントが発生したと認識する。これにより、携帯端末はステップ５１３に進んで自動画面回転を固定又は自動画面回転サービスを解除する。即ち、携帯端末は自動画面回転サービスを非活性化する（自動画面回転を固定又は自動画面回転サービスを解除）。
その後、携帯端末は本アルゴリズムを終了する。
【００６３】
上述した図２乃至図５のように画面固定イベントが発生して自動画面回転が固定されている場合、携帯端末は下記図６乃至図１０に示すように画面固定解除イベントによって固定された自動画面回転を解除できる。
【００６４】
図６は、本発明の第１実施形態による携帯端末で固定された自動画面回転を解除するための手順を示している。
図６を参照すると、携帯端末はステップ６０１で自動画面回転が固定されているかを確認する。即ち、携帯端末は自動画面回転サービスが非活性化されているかを確認する。
自動画面回転が固定されていない場合、携帯端末は本アルゴリズムを終了する。
【００６５】
一方、自動画面回転が固定されている場合、携帯端末はステップ６０３に進んで表示部１１０に対するタッチが感知されたかを確認する。例えば、携帯端末は図１３の（ａ）に示すようにユーザによって表示部１１０がタッチされたかを確認する。
【００６６】
表示部１１０に対するタッチが感知されない場合、携帯端末は画面固定解除イベントが発生しなかったと認識する。これにより、携帯端末は本アルゴリズムを終了する。
【００６７】
一方、表示部１１０に対するタッチが感知された場合、携帯端末はステップ６０５に進んで表示部１１０に対するタッチが維持された状態で端末が回転されたかを確認する。例えば、携帯端末は図１３の（ｂ）に示すようにユーザによる表示部１１０のタッチが維持された状態で端末が回転されたかを確認する。
【００６８】
端末が回転されないか、端末が回転する前に表示部１１０に対するタッチが解除された場合、携帯端末は画面固定解除イベントが発生しなかったと認識する。これにより、携帯端末は本アルゴリズムを終了する。
【００６９】
一方、表示部１１０に対するタッチが維持された状態で端末が回転された場合、携帯端末は画面固定解除イベントが発生したと認識する。これにより、携帯端末はステップ６０７に進んで固定された自動画面回転を解除する。即ち、携帯端末は自動画面回転サービスを活性化する。
その後、携帯端末は本アルゴリズムを終了する。
【００７０】
図７は、本発明の第２実施形態による携帯端末で固定された自動画面回転を解除するための手順を示している。
図７を参照すると、携帯端末はステップ７０１で自動画面回転が固定されているかを確認する。即ち、携帯端末は自動画面回転サービスが非活性化されているかを確認する。
自動画面回転が固定されていない場合、携帯端末は本アルゴリズムを終了する。
【００７１】
一方、自動画面回転が固定されている場合、携帯端末はステップ７０３に進んで表示部１１０に対するタッチが感知されたかを確認する。例えば、携帯端末は図１３の（ａ）に示すようにユーザによって表示部１１０がタッチされたかを確認する。
【００７２】
表示部１１０に対するタッチが感知されない場合、携帯端末は画面固定解除イベントが発生しなかったと認識する。これにより、携帯端末は本アルゴリズムを終了する。
【００７３】
一方、表示部１１０に対するタッチが感知された場合、携帯端末はステップ７０５に進んで表示部１１０に対するタッチが維持された状態で端末が回転されたかを確認する。例えば、携帯端末は図１３の（ｂ）に示すようにユーザによる表示部１１０のタッチが維持された状態で端末が回転されたかを確認する。
【００７４】
端末が回転されないか、端末が回転する前に表示部１１０に対するタッチが解除された場合、携帯端末は画面固定解除イベントが発生しなかったと認識する。これにより、携帯端末は本アルゴリズムを終了する。
【００７５】
一方、表示部１１０に対するタッチが維持された状態で端末が回転された場合、携帯端末はステップ７０７に進んで表示部１１０に対するタッチ維持時間を確認する。
その後、携帯端末はステップ７０９に進んで表示部１１０に対するタッチ維持時間と基準時間とを比較する。
【００７６】
タッチ維持時間が基準時間より小さい場合、携帯端末は画面固定解除イベントが発生しなかったと認識する。これにより、携帯端末は本アルゴリズムを終了する。
【００７７】
一方、タッチ維持時間が基準時間より大きいか等しい場合、携帯端末は画面固定解除イベントが発生したと認識する。これにより、携帯端末はステップ７１１に進んで固定された自動画面回転を解除する。即ち、携帯端末は自動画面回転サービスを活性化する。
その後、携帯端末は本アルゴリズムを終了する。
【００７８】
図８は、本発明の第３実施形態による携帯端末で固定された自動画面回転を解除するための手順を示している。
図８を参照すると、携帯端末はステップ８０１で自動画面回転が固定されているかを確認する。即ち、携帯端末は自動画面回転サービスが非活性化されているかを確認する。
自動画面回転が固定されていない場合、携帯端末は本アルゴリズムを終了する。
【００７９】
一方、自動画面回転が固定されている場合、携帯端末はステップ８０３に進んで表示部１１０に対するタッチが感知されたかを確認する。例えば、携帯端末は図１３の（ａ）に示すようにユーザによって表示部１１０がタッチされたかを確認する。
【００８０】
表示部１１０に対するタッチが感知されない場合、携帯端末は画面固定解除イベントが発生しなかったと認識する。これにより、携帯端末は本アルゴリズムを終了する。
【００８１】
一方、表示部１１０に対するタッチが感知された場合、携帯端末はステップ８０５に進んで表示部１１０に対するタッチが基準時間の間維持されたかを確認する。これにより、携帯端末は表示部１１０に対するタッチ維持時間と基準時間とを比較する。
【００８２】
タッチ維持時間が基準時間より小さい場合、携帯端末は表示部１１０に対するタッチが基準時間の間維持されなかったと認識する。これにより、携帯端末は本アルゴリズムを終了する。
【００８３】
一方、タッチ維持時間が基準時間より大きいか等しい場合、携帯端末は表示部１１０に対するタッチが基準時間の間維持されたと認識する。この場合、携帯端末はステップ８０７に進んで画面回転固定解除イベント情報を表示する。例えば、基準時間の間表示部１１０に対するタッチが維持された場合、携帯端末は図１３の（ｄ）に示すように画面固定解除イベントのための端末の回転方向を表示部１１０に表示する。
【００８４】
その後、携帯端末はステップ８０９に進んで端末が回転されたかを確認する。例えば、携帯端末は図１３の（ｅ）に示すように端末が回転されたかを確認する。この時、携帯端末は表示部１１０に対するタッチが維持されているか否かにかかわらず端末が回転したかを確認する。
【００８５】
端末が回転されない場合、携帯端末は画面固定解除イベントが発生しなかったと認識する。これにより、携帯端末は本アルゴリズムを終了する。
【００８６】
一方、端末が回転された場合、携帯端末は画面固定解除イベントが発生したと認識する。これにより、携帯端末はステップ８１１に進んで固定された自動画面回転を解除する。即ち、携帯端末は自動画面回転サービスを活性化する。
その後、携帯端末は本アルゴリズムを終了する。
【００８７】
図９は、本発明の第４実施形態による携帯端末で固定された自動画面回転を解除するための手順を示している。
図９を参照すると、携帯端末はステップ９０１で自動画面回転が固定されているかを確認する。即ち、携帯端末は自動画面回転サービスが非活性化されているかを確認する。
自動画面回転が固定されていない場合、携帯端末は本アルゴリズムを終了する。
【００８８】
一方、自動画面回転が固定されている場合、携帯端末はステップ９０３に進んで表示部１１０に対するタッチが感知されたかを確認する。例えば、携帯端末は図１３の（ａ）に示すようにユーザによって表示部１１０がタッチされたかを確認する。
【００８９】
表示部１１０に対するタッチが感知されない場合、携帯端末は画面固定解除イベントが発生しなかったと認識する。これにより、携帯端末は本アルゴリズムを終了する。
【００９０】
一方、表示部１１０に対するタッチが感知された場合、携帯端末はステップ９０５に進んで表示部１１０に対するタッチが基準時間の間維持されたかを確認する。これにより、携帯端末は表示部１１０に対するタッチ維持時間と基準時間とを比較する。
【００９１】
タッチ維持時間が基準時間より小さい場合、携帯端末は表示部１１０に対するタッチが基準時間の間維持されなかったと認識する。これにより、携帯端末は本アルゴリズムを終了する。
【００９２】
一方、タッチ維持時間が基準時間より大きいか等しい場合、携帯端末は表示部１１０に対するタッチが基準時間の間維持されたと認識する。この場合、携帯端末はステップ９０７に進んで画面回転固定解除イベント情報を表示する。例えば、基準時間の間表示部１１０に対するタッチが維持された場合、携帯端末は図１３の（ｄ）に示すように画面固定解除イベントのための端末の回転方向を表示部１１０に表示する。
【００９３】
その後、携帯端末はステップ９０９に進んで端末が回転されたかを確認する。例えば、携帯端末は図１３の（ｅ）に示すように端末が回転されたかを確認する。
【００９４】
端末が回転されない場合、携帯端末は画面固定解除イベントが発生しなかったと認識する。これにより、携帯端末は本アルゴリズムを終了する。
【００９５】
一方、端末が回転された場合、携帯端末はステップ９１１に進んで端末の回転方向を確認する。例えば、携帯端末はセンシングモジュール１６０を用いて端末の回転方向を確認する。
【００９６】
端末の回転方向を確認した後、携帯端末はステップ９１３に進んで端末の回転方向が予め設定された第２基準方向と一致するかを確認する。ここで、第２基準方向は画面固定解除イベント発生のために予め設定された携帯端末の回転方向を示す。
【００９７】
端末の回転方向が第２基準方向と一致しない場合、携帯端末は画面固定解除イベントが発生しなかったと認識する。これにより、携帯端末は本アルゴリズムを終了する。
【００９８】
端末の回転方向が第２基準方向と一致する場合、携帯端末は画面固定解除イベントが発生したと認識する。これにより、携帯端末はステップ９１５に進んで固定された自動画面回転を解除する。即ち、携帯端末は自動画面回転サービスを活性化する。
その後、携帯端末は本アルゴリズムを終了する。
【００９９】
図１０は、本発明の第５実施形態による携帯端末で固定された自動画面回転を解除するための手順を示している。
図１０を参照すると、携帯端末はステップ１００１で画面固定イベントが発生したかを確認する。例えば、携帯端末は図２乃至図５に示した画面固定イベントが発生したかを確認する。
画面固定イベントが発生しなかった場合、携帯端末は本アルゴリズムを終了する。
【０１００】
一方、画面固定イベントが発生した場合、携帯端末はステップ１００３に進んで自動画面回転を固定する。即ち、携帯端末は自動画面回転サービスを非活性化する。この時、携帯端末は表示部１１０に画面回転固定アイコンを表示する。
【０１０１】
その後、携帯端末はステップ１００５に進んで画面回転固定アイコンが選択されたかを確認する。例えば、携帯端末はユーザによる画面回転固定アイコンへのタッチが感知されたかを確認する。
画面回転固定アイコンが選択されなかった場合、携帯端末は本アルゴリズムを終了する。
【０１０２】
一方、画面回転固定アイコンが選択された場合、携帯端末はステップ１００７に進んで固定された自動画面回転を解除する。
その後、携帯端末は本アルゴリズムを終了する。
【０１０３】
上述のように携帯端末はタッチ情報及び端末の回転情報を考慮して自動画面回転サービスを活性化または非活性化する。この時、携帯端末は下記の図１１乃至図１２に示すように、特定の応用プログラムが実行されている間のみ自動画面回転サービスを活性化または非活性化することもできる。
【０１０４】
以下の説明で、携帯端末は図４に示したように画面固定イベントが発生した場合、特定の応用プログラムが実行されている間のみ自動画面回転を固定すると仮定して説明する。しかし、携帯端末は特定の応用プログラムが実行されている状態で図２乃至図５に示したように画面固定イベントが発生した場合も、同様に自動画面回転を固定できる。
【０１０５】
図１１は、本発明の第６実施形態による携帯端末で特定の応用プログラムにおける画面回転を固定するための手順を示している。
図１１を参照すると、携帯端末はステップ１１０１で画面回転を支援する応用プログラム（アプリケーション）を実行する。ここで、画面回転を支援する応用プログラムはウェブブラウザ、アルバム、動画プレーヤなどを含む。
【０１０６】
その後、携帯端末はステップ１１０３に進んで表示部１１０に対するタッチが感知されたかを確認する。例えば、携帯端末は、本発明の各実施形態による携帯端末で画面回転を固定するための手順中の画面構成例を示す図１３の（ｃ）に示すようにユーザによる表示部１１０のタッチが感知されたかを確認する。
【０１０７】
表示部１１０に対するタッチが感知されない場合、携帯端末は画面固定イベントが発生しなかったと認識する。これにより、携帯端末は本アルゴリズムを終了する。
【０１０８】
一方、表示部１１０に対するタッチが感知された場合、携帯端末はステップ１１０５に進んで表示部１１０に対するタッチが基準時間の間維持されたかを確認する。これにより、携帯端末は表示部１１０に対するタッチ維持時間と基準時間とを比較する。
【０１０９】
タッチ維持時間が基準時間より小さい場合、携帯端末は表示部１１０に対するタッチが基準時間の間維持されなかったと認識する。これにより、携帯端末は本アルゴリズムを終了する。
【０１１０】
一方、タッチ維持時間が基準時間より大きいか等しい場合、携帯端末は表示部１１０に対するタッチが基準時間の間維持されたと認識する。これにより、携帯端末は１１０７ステップに進んで画面回転イベント情報を表示する。例えば、基準時間の間表示部１１０に対するタッチが維持された場合、携帯端末は図１３の（ｄ）に示すように画面固定イベントのための端末の回転方向を表示部１１０に表示する。
【０１１１】
その後、携帯端末はステップ１１０９に進んで端末が回転されたかを確認する。例えば、携帯端末は図１３の（ｅ）に示すように端末が回転されたかを確認する。この時、携帯端末はユーザのタッチが維持されているか否かにかかわらず端末が回転したかを確認する。
【０１１２】
端末が回転されない場合、携帯端末は画面固定イベントが発生しなかったと認識する。これにより、携帯端末は本アルゴリズムを終了する。
【０１１３】
一方、端末が回転された場合、携帯端末は画面固定イベントが発生したと認識する。これにより、携帯端末はステップ１１１１に進んで自動画面回転を固定する。即ち、携帯端末は自動画面回転サービスを非活性化する。
【０１１４】
その後、携帯端末はステップ１１１３に進んで画面固定解除イベントが発生したかを確認する。例えば、携帯端末は図６乃至図１０に示すように画面固定解除イベントが発生したかを確認する。
【０１１５】
画面固定解除イベントが発生した場合、携帯端末はステップ１１１５に進んで固定された自動画面回転を解除する。即ち、携帯端末は自動画面回転サービスを活性化する。
【０１１６】
一方、画面固定解除イベントが発生しなかった場合、携帯端末はステップ１１１７に進んでステップ１１０１で実行した応用プログラムの実行が終了したかを確認する。
【０１１７】
応用プログラムの実行が終了していない場合、携帯端末はステップ１１１３に進んで画面固定解除イベントが発生したかを確認する。
【０１１８】
一方、応用プログラムの実行が終了した場合、携帯端末はステップ１１１５に進んで固定された自動画面回転を解除する。即ち、携帯端末は自動画面回転サービスを活性化する。
その後、携帯端末は本アルゴリズムを終了する。
【０１１９】
図１２は、本発明の第７実施形態による携帯端末で特定の応用プログラムにおける画面回転を固定するための手順を示している。
図１２を参照すると、携帯端末はステップ１２０１で画面回転を支援する応用プログラムを実行する。ここで、画面回転を支援する応用プログラムはウェブブラウザ、アルバム、動画プレーヤなどを含む。
【０１２０】
その後、携帯端末はステップ１２０３に進んで表示部１１０に対するタッチが感知されたかを確認する。例えば、携帯端末は図１３の（ｃ）に示すようにユーザによる表示部１１０のタッチが感知されたかを確認する。
【０１２１】
表示部１１０に対するタッチが感知されない場合、携帯端末は画面固定イベントが発生しなかったと認識する。これにより、携帯端末は本アルゴリズムを終了する。
【０１２２】
一方、表示部１１０に対するタッチが感知された場合、携帯端末はステップ１２０５に進んで表示部１１０に対するタッチが基準時間の間維持されたかを確認する。これにより、携帯端末は表示部１１０に対するタッチ維持時間と基準時間とを比較する。
【０１２３】
タッチ維持時間が基準時間より小さい場合、携帯端末は表示部１１０に対するタッチが基準時間の間維持されなかったと認識する。これにより、携帯端末は本アルゴリズムを終了する。
【０１２４】
一方、タッチ維持時間が基準時間より大きいか等しい場合、携帯端末は表示部１１０に対するタッチが基準時間の間維持されたと認識する。これにより、携帯端末はステップ１２０７に進んで画面回転イベント情報を表示する。例えば、基準時間の間表示部１１０に対するタッチが維持された場合、携帯端末は図１３の（ｄ）に示すように画面固定イベントのための端末の回転方向を表示部１１０に表示する。
【０１２５】
その後、携帯端末はステップ１２０９に進んで端末が回転されたかを確認する。例えば、携帯端末は図１３の（ｅ）に示すように端末が回転されたかを確認する。この時、携帯端末はユーザのタッチが維持されているか否かにかかわらず端末が回転したかを確認する。
【０１２６】
端末が回転されない場合、携帯端末は画面固定イベントが発生しなかったと認識する。これにより、携帯端末は本アルゴリズムを終了する。
【０１２７】
一方、端末が回転された場合、携帯端末は画面固定イベントが発生したと認識する。これにより、携帯端末はステップ１２１１に進んで自動画面回転を固定する。即ち、携帯端末は自動画面回転サービスを非活性化する。
【０１２８】
その後、携帯端末はステップ１２１３に進んで端末の揺れが認識されたかを確認する。例えば、携帯端末はセンシングモジュール１６０を介して端末の揺れが感知されたかを確認する。
【０１２９】
端末の揺れが感知された場合、携帯端末は画面固定解除イベントが発生したと認識する。これにより、携帯端末はステップ１２１５に進んで固定された自動画面回転を解除する。即ち、携帯端末は自動画面回転サービスを活性化する。
【０１３０】
一方、端末の揺れが感知されない場合、携帯端末はステップ１２１７に進んでステップ１２０１で実行した応用プログラムの実行が終了したかを確認する。
応用プログラムの実行が終了していない場合、携帯端末はステップ１２１３に進んで端末の揺れが感知されたかを確認する。
【０１３１】
一方、応用プログラムの実行が終了した場合、携帯端末はステップ１２１５に進んで固定された自動画面回転を解除する。即ち、携帯端末は自動画面回転サービスを活性化する。
その後、携帯端末は本アルゴリズムを終了する。
【０１３２】
上述のようにタッチスクリーンを備える携帯端末で簡単なタッチ操作で自動画面回転を防止することによって、ユーザが意図しない状態で画面が回転する不便を減らすことができ、自動画面回転を容易に固定できる利点がある。
【０１３３】
本発明の第８実施形態による携帯端末で画面を回転するための方法は、タッチを感知する過程と、前記タッチが維持された状態で前記携帯端末の回転が感知された場合、固定された又は画面回転が解除された画面を携帯端末の傾きを考慮して回転する過程と、を含む。
本発明の第９実施形態による携帯端末装置は、タッチスクリーンと、前記携帯端末の動き情報を感知するセンシングモジュールと、
前記タッチスクリーンに対するタッチが維持された状態で前記センシングモジュールを介して前記携帯端末の回転が感知された場合、固定された又は画面回転が解除された画面を携帯端末の傾きを考慮して回転する制御部を含む。
【０１３４】
一方、本発明を実施するための形態では具体的な実施形態に関して説明したが、本発明の範囲から逸脱しない限度内で様々な変形が可能である。従って、本発明の範囲は説明された実施形態に限定されて定められてはならず、後述する特許請求の範囲のみでなくこの特許請求の範囲と均等なものによって定められるべきである。
【符号の説明】
【０１３５】
１００    制御部
１１０    表示部
１２０    入力部
１３０    保存部
１４０    オーディオ処理部
１５０    通信部
１６０    センシングモジュール
【図１】
0006006065.tif 000002
【図２】
0006006065.tif 000003
【図３】
0006006065.tif 000004
【図４】
0006006065.tif 000005
【図５】
0006006065.tif 000006
【図６】
0006006065.tif 000007
【図７】
0006006065.tif 000008
【図８】
0006006065.tif 000009
【図９】
0006006065.tif 000010
【図１０】
0006006065.tif 000011
【図１１】
0006006065.tif 000012
【図１２】
0006006065.tif 000013
【図１３】
0006006065.tif 000014